(57)【要約】【課題】吐水対象である脹ら脛へ向けて広範囲に、かつ無駄なく吐水を行うことができる足浴装置を提供することにある。【解決手段】両足が入る程度の大きさを有し上部が開放された水槽と、両足を前記水槽内に入れた際に脹ら脛を吐水対象とする、揺動体がガイド部に沿って回転する複数もしくは少なくとも１つの吐水ノズルと、前記吐水ノズルへ湯水を供給する給水部と、前記給水部への流量調整を行う給水バルブ部と、前記吐水ノズルから吐水された湯水を排出する排水部より成る脹ら脛部非水没式の足浴装置において、両足を前記水槽内に配置した際の足裏面を水平とした場合、前記吐水ノズルの吐水範囲を、水平方向と比較して垂直方向に比率を大きくしたことを特徴とする。【選択図】　図１
2004113458.tif 000002
【特許請求の範囲】
【請求項１】
両足が入る程度の大きさを有し上部が開放された水槽と、両足を前記水槽内に入れた際に脹ら脛を吐水対象とする複数もしくは少なくとも１つの吐水ノズルと、前記吐水ノズルへ湯水を供給する給水部と、前記給水部への流量調整を行う給水バルブ部と、前記吐水ノズルから吐水された湯水を排出する排水部とより成る脹ら脛部非水没式の足浴装置において、前記吐水ノズルは揺動体がガイド部に沿って回転するものであり、また、両足を前記水槽内に配置した際の足裏面を水平とした場合、この吐水ノズルの吐水範囲を、水平方向と比較して垂直方向に比率を大きくしたことを特徴とする足浴装置。
【請求項２】
前記吐水ノズルにおいて、垂直方向と長軸方向とが平行位置となるように形成された楕円状の前記ガイド部が前記揺動体を支持していることを特徴とする請求項１記載の足浴装置。
【請求項３】
前記吐水ノズル本体全体を、前記垂直方向に揺動させる為に、上下駆動する機構を設けたことを特徴とする請求項１記載の足浴装置。
【請求項４】
前記足浴装置において、前記水槽内における両足の存在を検知する足検知センサを設け、前記足検知センサからの電気的な検知信号に基づいて、前記給水バルブ部で流量制御することを特徴とする請求項１乃至３何れか一項記載の足浴装置。
【請求項５】
前記水槽の上部縁と脹ら脛より上部との間の隙間を覆い、前記水槽から取り付け取り外しが可能な、可撓性の材料を用いた覆い手段を設けたことを特徴とする請求項１乃至４何れか一項記載の足浴装置。
【発明の詳細な説明】
【０００１】
【発明の属する技術分野】
本発明は足浴装置に係り、特に脹ら脛に向けての揺動吐水により、湯水による温冷作用及び揺動吐水の断続的な動水圧作用による、物理療法または温熱療法に好適な入浴装置に関する発明である。
【０００２】
【従来の技術】
従来の足浴装置は、ほとんどの足浴対象が踝より下の足部を対象とし、当初は静水圧の効果と温熱効果を利用した温水浴から、皮膚へのマッサージ刺激を与える動水圧が加わり、刺激に泡空気を用いた気泡浴により、リラックス、リフレッシュ、ストレス解消、浮腫解消を行っている。（例えば、特許文献１、２参照）また、足部非水没式の場合において、動水圧で吐水、例えば渦流浴を用いた例として、従来の足浴装置の中には、水槽内部に配置した少なくとも１つの温水噴出手段を備えており、さらに温水噴出手段は可撓支持手段の先端に支持し、使用者の好む場所に吐水ができるよう工夫がなされている。（例えば、特許文献３参照）
【０００３】
【特許文献１】
特開２００２−１５３５３７号
【特許文献２】
特開２０００−３５０７６３号
【特許文献３】
特開平１１−１９７２０４号
【０００４】
【発明が解決しようとする課題】
従来の水没式の足浴装置では、静水圧と気泡では、皮膚に対する刺激が弱く、効果的なマッサージ刺激が得られない。さらに脹ら脛までという広範囲にマッサージ刺激をする場合には、水没式では膝下まで水没させる為の、予め多くの水量が必要となる場合がある。
【０００５】
また、非水没式で使用される渦流吐水の場合、広範囲にマッサージ刺激広げようとすると、不必要な部分まで吐水をしなければならず、効率が良くなく、さらに広範囲にすることで、動水圧が分散する場合がある。可動式にして好みの場所へ吐水させる場合でも、自ら吐水ノズルを移動させなければならず、使用に手間が生じる。
【０００６】
本発明は、上記問題を解決するためになされたもので、本発明の目的は、非水没式である為、多くの水量を必要とせず、さらに回転運動との組合せにより吐水で広範囲に吐水が可能である吐水ノズルを用いて上下駆動させる為、吐水対象である脹ら脛へ向けて広範囲に、かつ無駄なく吐水を行うことができる足浴装置を提供することにある。
【０００７】
【課題を解決するための手段と作用・効果】
上記目的を解決するために、本発明においては、両足が入る程度の大きさを有し上部が開放された水槽と、両足を前記水槽内に入れた際に脹ら脛を吐水対象とする複数もしくは少なくとも１つの吐水ノズルと、前記吐水ノズルへ湯水を供給する給水部と、前記給水部への流量調整を行う給水バルブ部と、前記吐水ノズルから吐水された湯水を排出する排水部とより成る脹ら脛部非水没式の足浴装置において、前記吐水ノズルは揺動体がガイド部に沿って回転するものであり、また、両足を前記水槽内に配置した際の足裏面を水平とした場合、この吐水ノズルの吐水範囲を、水平方向と比較して垂直方向に比率を大きくしたことを特徴とする足浴装置を提供する。
本発明に係る足浴装置においては、前記垂直方向に広がる脹ら脛部へのマッサージという動作において、使用者は効率的に脹ら脛全体への吐水流体として不感帯温度以上の温水では温熱刺激を得られ、さらに吐水刺激によりマッサージ感を得られる。
【０００８】
本発明の好ましい態様においては、前記吐水ノズルにおいて、垂直方向と長軸方向とが平行位置となるように形成された楕円状の前記ガイド部が前記揺動体を支持していることを特徴とする足浴装置であるので、吐水ノズル全体は動かずに、内部の揺動体の動作軌道をガイド部によって変化させるだけである為、全体を垂直方向に動作させる構造より、構造的に単純な部品構成と構造で製作することができる。
【０００９】
本発明の好ましい態様においては、前記吐水ノズル本体全体を、前記垂直方向に揺動させる為に、上下駆動する機構を設けたことを特徴とする足浴装置であるので、円軌道を垂直方向に往復移動させる吐水形態となり、吐水範囲に満遍なくマッサージ感を与えることができる。
【００１０】
本発明の好ましい態様においては、前記足浴装置において、前記水槽内における両足の存在を検知する足検知センサを設け、前記足検知センサからの電気的な検知信号に基づいて、前記給水バルブ部で流量制御することを特徴とするので、両足が存在する時に吐水を開始することができ、吐水ノズルからの吐水流体が脹ら脛へ衝突した際に生じる飛沫が、使用環境における周囲に影響を及ぼす状態を未然に防止することができる。
【００１１】
本発明の好ましい態様においては、前記水槽の上部縁と脹ら脛より上部との間の隙間を覆い、前記水槽から取り付け取り外しが可能な、可撓性の材料を用いた覆い手段を設けたことを特徴とする足浴装置であるので、脹ら脛に吐水を行う場合でも、吐水ノズルからの吐水流体が脹ら脛へ衝突した際に生じる飛沫が、使用環境における周囲に影響を及ぼす状態を未然に防止することができる。
【００１２】
【発明の実施の形態】
本発明の実施例に係る足浴装置を説明する。
図１に示すように、本実施例に係る足浴装置Ａは、水槽１と吐水ノズル２ａを備え、給水バルブ部７から給水部３を通水し、水槽１の内部空間に固定される吐水ノズル２ａへ吐水流体を供給し、水槽１の下部に配置される排水部４へ排水されるよう設置され、脹ら脛部分まで吐水流体によって水没しないよう、毎分１５ｌ／ｍｉｎ以上排水されるよう排水部の大きさがとられている。
吐水ノズル２ａから脚５の脹ら脛部吐水範囲６は、脹ら脛面を最大範囲として水平長さＨと垂直長さＶとの間にＨ＜Ｖという関係が成立する。
【００１３】
ここで、吐水ノズル２ａは、湯、水といった流体が流入する流入室８と、流入室８内に組み込まれ、流入室８の流体を噴射する噴射口を備えた噴射体９と、流入室８に入る流体が旋回流を起こすように導く管路を有する給水機構を有し、噴射体９は、流入室８内で傾斜した姿勢で揺動吐水可能に流入室８に組み込まれた構成を要する。
【００１４】
図２に示すように、吐水ノズル２ｂは、湯、水といった流体が流入する流入室８と、流入室８内に組み込まれ、流入室８の流体を噴射する噴射口を備えた噴射体９と、流入室８に入る流体が旋回流を起こすように導く管路を有する給水機構を有し、噴射体９は、流入室８内で傾斜した姿勢で揺動吐水可能に流入室８に組み込まれた構成を要し、さらに前記噴射体の傾斜角度を規制するガイド部１０を流入室内に有している。
このガイド部１０が楕円形状になっており、揺動体９はガイド部１０に沿って楕円形を描くように揺動吐水を行う。
【００１５】
図３に示すように、吐水ノズル２ａは、湯、水といった流体が流入する流入室８と、流入室８内に組み込まれ、流入室８の流体を噴射する噴射口を備えた噴射体９と、流入室８に入る流体が旋回流を起こすように導く管路を有する給水機構を有し、噴射体９は、流入室８内で傾斜した姿勢で揺動吐水可能に流入室８に組み込まれた構成を要し、円状に吐水する機能を有する。
さらに吐水ノズル２ａは、電源部１４に接続された電気モータ１３から、回転運動を往復直線運動に変換するスライダクランク機構部１１に接合されており、シャフトガイド１２に沿って、上下運動を行う。これにより脹ら脛部吐水範囲６は、水平方向は円状吐水の直径の幅で、垂直方向は上下運動幅の範囲を得る。
【００１６】
ここで、スライダクランク機構部１１は、カム機構によって構成されても良く、回転運動機構として、電気以外の駆動エネルギー源を用いた回転機構である水車１９等を用いても良い。
【００１７】
図４に示すように、吐水ノズル２ａは、湯、水といった流体が流入する流入室８と、流入室８内に組み込まれ、流入室８の流体を噴射する噴射口を備えた噴射体９と、流入室８に入る流体が旋回流を起こすように導く管路を有する給水機構を有し、噴射体９は、流入室８内で傾斜した姿勢で揺動吐水可能に流入室８に組み込まれた構成を要し、円状に吐水する機能を有する。
さらに吐水ノズル２ａは、給水管２０内部に設置された水車１９から、回転運動を往復直線運動に変換するスライダクランク機構部１１に、例えば回転調整の為にギア部１８を介して接合されており、シャフトガイド１２に沿って上下運動を行い、スライダクランク機構部１１に接続された吐水ノズル接続部１７が支持ガイド１６で支持され、吐水ノズル接続部１７は支持ガイド１６を支点として、スライダクランク機構部１１からの上下運動を吐水ノズル２ａへ伝える。これにより脹ら脛部吐水範囲６は、水平方向は円状吐水の直径の幅で、垂直方向は吐水ノズル２ａが振れた振れ角と距離により、上下運動幅の範囲を得る。
【００１８】
ここで、スライダクランク機構部１１は、カム機構によって構成されても良く、回転運動機構として、電気を駆動エネルギー源とした電気モータ１３を用いても良い。
【００１９】
図５に示すように、足浴装置Ａは、水槽１と吐水ノズル２ａを備え、給水バルブ部７から給水部３を通水し、水槽１の内部空間に固定される吐水ノズル２へ吐水流体を供給し、水槽１の下部に配置される排水部４へ排水されるよう設置され、脹ら脛部分まで吐水流体によって水没しないよう、毎分１５ｌ／ｍｉｎ以上排水されるよう排水部の大きさがとられている。
吐水ノズル２ａは、湯、水といった流体が流入する流入室８と、流入室８内に組み込まれ、流入室８の流体を噴射する噴射口を備えた噴射体９と、流入室８に入る流体が旋回流を起こすように導く管路を有する給水機構を有し、噴射体９は、流入室８内で傾斜した姿勢で揺動吐水可能に流入室８に組み込まれた構成を要し、円状に吐水する機能を有し、脹ら脛部吐水範囲６へ吐水する。
【００２０】
さらに、電源部１４と電気的に接続された、制御部２２と電気的に接続された足裏検知センサ２１と電気バルブ２３とで構成され、電気バルブ２３は給水部３を通して、吐水ノズル２ａに給水する。
【００２１】
足裏検知センサ２１が足裏を検知した時、制御部２２に信号が行き、制御部２２からの信号で電気バルブ２３が開する。足裏検知センサ２１が足裏を検知しない時は、制御部２２に信号が行かず、電気バルブ２３は閉した状態を保持する。
【００２２】
図６に示すように、足浴装置Ａは、水槽１と吐水ノズル２ａを備え、給水バルブ部７から給水部３を通水し、水槽１の内部空間に固定される吐水ノズル２へ吐水流体を供給し、水槽１の下部に配置される排水部４へ排水されるよう設置され、脹ら脛部分まで吐水流体によって水没しないよう、毎分１５ｌ／ｍｉｎ以上排水されるよう排水部の大きさがとられている。
吐水ノズル２ａは、湯、水といった流体が流入する流入室８と、流入室８内に組み込まれ、流入室８の流体を噴射する噴射口を備えた噴射体９と、流入室８に入る流体が旋回流を起こすように導く管路を有する給水機構を有し、噴射体９は、流入室８内で傾斜した姿勢で揺動吐水可能に流入室８に組み込まれた構成を要し、円状に吐水する機能を有し、脹ら脛部吐水範囲６へ吐水する。
【００２３】
さらに、水槽１の上部縁と脹ら脛より上部との隙間を覆う、可撓性の材料を用いた覆い手段２４を、水槽１の上部縁と取り付け取り外し可能な接合方法である、チャック、面ファスナー、ボタン等で接合する。
【図面の簡単な説明】
【図１】本発明の足浴装置説明するための全体構成図である。
【図２】本発明の噴射体の動作例を示す説明図である。
【図３】本発明のスライダクランク機構の実施例を示す説明図である。
【図４】本発明の水車を利用したスライダクランク機構の実施例を示す説明図である。
【図５】本発明の足裏検知センサ駆動の実施例を示す説明図である。
【図６】本発明の可撓性の材料を用いた覆い手段の実施例を示す説明図である。
【符号の説明】
１…水槽
２…吐水ノズル
３…給水部
４…排水部
６…脹ら脛部吐水範囲
７…給水バルブ部
８…流入室
９…噴射体
１０…ガイド部
１１…スライダクランク機構部
１２…シャフトガイド
１３…電気モータ
１４…電源部
１６…支持ガイド
１７…吐水ノズル接続部
１８…ギア部
１９…水車
２０…給水管
２１…足裏検知センサ
２２…制御部
２３…電気バルブ
２４…覆い手段
【図１】
2004113458.tif 000003
【図２】
2004113458.tif 000004
【図３】
2004113458.tif 000005
【図４】
2004113458.tif 000006
【図５】
2004113458.tif 000007
【図６】
2004113458.tif 000008